(57)【要約】      （修正有）【課題】低コストな誤動作防止機能を持つロッカースイッチであって、切換操作部材の操作性を損なうことなく作動信頼性の高いロッカースイッチを提供する。【解決手段】ロッカースイッチは、スイッチ機構２を内蔵したケーシング１と、ケーシング内に傾動自在に配置されてスイッチ機構に回路開閉動作を行わせる切換操作部材３とを備える。切換操作部材は、２つ以上の釦領域３１，３２を有する操作部３０と、該操作部からケーシング底部１１に向かって延出し、切替操作部材の傾動をスイッチ機構に伝えて電気回路の開閉を行わせる傾動伝達部３３とを有する。２つ以上の釦領域は、１つの釦領域が押し込まれると、他の釦領域は開口部からケーシングの外方に張り出すような動作関係にある。２つ以上の釦領域の少なくとも一つの内部には、その側面から弾性的に出没自在な突出体４１が組み込まれる。突出体は、突出時に、突出体の下面がケーシングの頂面に係止して切換操作部材の切換動作が阻止される。【選択図】図１
0003168551.tif 000002
【実用新案登録請求の範囲】
【請求項１】
側壁に囲まれた底部と開口部とを有し、底部にスイッチ機構を備えたケーシングと、該ケーシング内に配置された少なくとも２方向に傾動自在な切替操作部材とからなり、
該切替操作部材は、前記ケーシングの開口部を塞ぐように設けられ、外端部に膨らみをもって形成された２つ乃至それ以上の釦領域を有する操作部と、該操作部の中央部から下方に前記ケーシング底部に向かって延出し、前記切替操作部材の傾動を前記スイッチ機構に伝えて電気回路の開又は閉を行わせる傾動伝達部とを有し、
前記２つ以上の釦領域は、1つの釦領域が前記ケーシングの内方に押し込まれると、他の釦領域は開口部から前記ケーシングの外方に張り出すような動作関係にあり、
前記釦領域は、前記ケーシングの開口部に常に露出する上面と、前記ケーシングの内方に押し込まれたとき前記ケーシング内に隠れる側面とを有し、前記２つ以上の釦領域の少なくとも一つの内部には該釦領域の側面から前記ケーシングの側壁に向けて突出可能に設けられた突出体と、この突出体を弾性的に支持する弾性体とが組み込まれており、前記突出体は、前記釦領域が開口部から前記ケーシングの外方に張り出したとき、該釦領域の側面から突出して、該突出体の下面が開口部の周縁を囲む前記ケーシングの頂面と係止し、前記張り出した釦領域が誤操作により前記ケーシング内に下降することが阻止されることを特徴とするロッカースイッチ。
【請求項２】
前記突出体は、その突出端が、前記釦領域の内部に収納されたときに該釦領域の側面と同一面を形成可能に設けられていることを特徴とする請求項１に記載のロッカースイッチ。
【考案の詳細な説明】
【技術分野】
【０００１】
本考案は、各種電気機器の動作のオン／オフを切り替えるスイッチ、特に、誤動作防止機能を備えたロッカースイッチに関する。
【背景技術】
【０００２】
スイッチの代表的なものの１つであるロッカースイッチは、底部にスイッチ機構を備えたケーシングと、ケーシング内に傾動自在に配置された切替え操作部材とから構成される。切替操作部材は、ケーシングの開口部に露出して傾動自在な操作部と、該操作部からケーシング内部に伸延して操作部の傾動をスイッチ機構に伝えて電気回路の開又は閉を行わしめる傾動伝達部とを有する。
【０００３】
他の代表的なスイッチの１つであるトグルスイッチは、スイッチ機構を内蔵するケーシングと、ケーシングから傾動自在に起立してスイッチ機構に回路開閉動作を行なわしめる切換レバーとから成る。切換レバーが開側に傾動させられるとスイッチ機構の開動作が行われ、閉側に傾動させられるとスイッチ機構の閉動作が行われる。
【０００４】
これらスイッチの共通の問題点として、ロッカースイッチの切替操作部材やトグルスイッチの切換レバーがいずれもケーシング上面から突出して設けられるため、操作者その他の人や物が切替操作部材や切換レバーに誤って触れると、スイッチが誤動作してしまうということである。
【０００５】
特許文献１には、ロッカースイッチと誤動作防止用カバーとの組合わせが開示されている。誤動作防止用カバーはロッカースイッチのスイッチハンドルを覆うようにケーシングに着脱自在に取り付けられ、このときスイッチハンドルは誤動作防止カバーの取付け向きに応じて開側若しくは閉側に傾動させられて固定され、これによりスイッチハンドルが不用意に動作することが防止される。しかしながら、スイッチハンドルの開又は閉を切り換える度毎に誤動作防止カバーを取り外すして取付け向きを変える必要があり、スイッチ切り換え動作が面倒であることが問題となる。
【０００６】
特許文献２には、ロッカースイッチを取付けた機器の傾きによっては操作部がロックされて誤動作が防止されるロッカースイッチが開示されている。このロッカースイッチにおいては、ロッカースイッチを組み込んだ機器が例えば傾倒状態になると、ケーシング内を上下に仕切る仕切板上に配設された球状の回転体が転動して操作部と仕切り板間に入り込んで該操作部の傾動が阻止され、これにより例えば機器の移動中のロッカースイッチの誤動作が防止される。しかしながら、特許文献２に開示されたロッカースイッチでは、機器が正規の設置姿勢を保っているときには、回転体の移動が生じないので、操作部の傾動が阻止されず、スイッチの不用意な誤動作を防止することはできない。
【０００７】
特許文献３及び４にはトグルスイッチの切換レバーを所定の傾動位置に移動させた後にその傾動位置に保持するためのロック機構を備えたトグルスイッチが開示されているが、しかし何れの場合にもロック機構の部品点数が多く、嵩張った構造となるだけでなくその付加的コストも大となる。
【先行技術文献】
【特許文献】
【０００８】
【特許文献１】実開平０１−０２１４６１
【特許文献２】特許第４３４９６３０号
【特許文献３】実公平０６−０１２５８８
【特許文献４】特開２０１０−２０５６３６
【考案の概要】
【考案が解決しようとする課題】
【０００９】
従って、本考案の目的は、低コストな誤動作防止機能を持つロッカースイッチであって、その切替操作部材の操作性を損なうことなく作動信頼性の高いロッカースイッチを提供することにある。
【課題を解決するための手段】
【００１０】
本考案によるロッカースイッチは、側壁に囲まれた底部と開口部とを有し、底部にスイッチ機構を備えたケーシングと、該ケーシング内に配置された少なくとも２方向に傾動自在な切替操作部材とからなり、
該切替操作部材は、前記ケーシングの開口部を塞ぐように設けられ、外端部に膨らみをもって形成された２つ乃至それ以上の釦領域を有する操作部と、該操作部の中央部から下方に前記ケーシング底部に向かって延出し、前記切替操作部材の傾動を前記スイッチ機構に伝えて電気回路の開又は閉を行わせる傾動伝達部とを有し、
前記２つ以上の釦領域は、1つの釦領域が前記ケーシングの内方に押し込まれると、他の釦領域は開口部から前記ケーシングの外方に張り出すような動作関係にあり、
前記釦領域は、前記ケーシングの開口部に常に露出する上面と、前記ケーシングの内方に押し込まれたとき前記ケーシング内に隠れる側面とを有し、前記２つ以上の釦領域の少なくとも一つの内部には該釦領域の側面から前記ケーシングの側壁に向けて突出可能に設けられた突出体と、この突出体を弾性的に支持する弾性体とが組み込まれており、前記突出体は、前記釦領域が開口部から前記ケーシングの外方に張り出したとき、該釦領域の側面から突出して、該突出体の下面が開口部の周縁を囲む前記ケーシングの頂面と係止し、前記張り出した釦領域が誤操作により前記ケーシング内に下降することが阻止されることを特徴とする。
【００１１】
このような構成のロッカースイッチにあっては、人や物が不用意に切替操作部材の釦領域に触れて押下力が働いたとしても、その釦領域の側面から突出した突出体がケーシングの開口部の周縁部上に突出しているために当該釦領域のケーシング内への下降動作が阻止される。
【００１２】
本考案によるロッカースイッチにあっては、好ましくは、突出体は、釦領域の内部に収納されたとき、その突出端の端面が、釦領域の側面と同一面を形成可能に設けられている。
【００１３】
このような構成にあっては、切替操作部材の釦領域を意図的に押下げる場合には、指の先端腹部を突出体の突出端の端面に当て、突出体を弾性体の弾性力に抗して釦領域の内部に押し込みながら釦領域を押下げる。このとき、突出体による釦領域の下降阻止状態が解除されたことの認識を得つつ釦領域を押下げることができるため、優れた操作性を得ることができる。
【考案の効果】
【００１４】
本考案によれば、突出体と弾性体とから成る誤動作防止機構を切替操作部材の釦領域に組み込むだけなので、従来のロッカースイッチの構成自体に大巾な設計変更を加える必要がなく、しかも切替操作部材の操作性を実質的に損なうことなく、低コストでかつ作動信頼性の高い誤動作防止機能付きロッカースイッチを得ることができる。
【図面の簡単な説明】
【００１５】
【図１】本考案に係るロッカースイッチの一実施形態を示す縦断面図
【考案を実施するための形態】
【００１６】
図において、本考案によるロッカースイッチは上面を開放した箱状のケーシング１を有する。ケーシング１は適当な樹脂材料例えばポリアミド樹脂から一体成形される。ケーシング１は底部１１と、底部１１を囲む側壁１２と、側壁１２の上端により形成される開口部１３と、開口部１３の周縁を囲むケーシング１の頂面１４とを有する。
【００１７】
側壁１２には内壁面に沿って底部１１から上方に中間部まで延伸した柱体１６が一体に設けられており、その頂面１７は後述する切替操作部材の傾動角度を規制するストッパ面として機能する。参照符号１９は底部１１から一体に下方に延びる板状要素を示し、これら板状要素はロッカースイッチに配線を行う際の配線規制板として機能する。
【００１８】
また、ロッカースイッチはケーシング１内に格納されたスイッチ機構２を具備し、このスイッチ機構２は、ケーシング１内で側壁１２近傍から底部１１を貫通して延出する接触端子２３と、この接触端子２３上に固定された固定接点２４と、ケーシング１内で底部１１のほぼ中心部を貫通して延出する共通端子２５と、この共通端子２５の上端に揺動自在に支持された搖動部材２６と、この揺動部材２６の延出端部の下面に設けられ可動接片２７とから構成される。なお、スイッチ機構２の構成要素２１ないし２６は適当な金属材料例えば黄銅から形成され、固定接点２４と可動接片２７は銅と銀とから成る合金で被覆される。
【００１９】
以上の構成において、図１では、揺動部材２６は時計方向側に揺動した状態で示されており、このとき可動接片２７は固定接点２４と接触し、電気的に接続されて、電気回路は閉成状態にある。一方、搖動部材２６が反時計方向側に揺動すると、搖動部材２６の可動接片２７は固定接点２４から離れて回路は開放される。
【００２０】
更に、ロッカースイッチはスイッチ機構２に電気回路の開閉動作を行わせる切替操作部材３を具備する。この切替操作部材３は操作部３０と傾動伝達部３３とを備え、例えばポリカーボネート樹脂の一体成形品として形成される。操作部３０は、ケーシング１の長手方向に沿って開口部１３を塞ぐように設けられ、両端部に膨らみを設けて形成された釦領域３１，３２を有する。傾動伝達部３３は、操作部３０の中心部から下方にケーシング底部に向かって延出し、切替操作部材３の傾動をスイッチ機構２に伝えて回路開閉を行わせる。
【００２１】
図示例において、操作部３０は平面視（不図示）で一の字形状を有し、２つの釦領域３１，３２を有するが、操作部３０の形状及び釦領域の数はこれに限定されない。例えば、操作部３０が十文字形状を呈する場合、釦領域は４つになる。以下においては、２つの釦領域３１，３２を有する場合を１つの例として説明する。
【００２２】
切替操作部材３の操作部３０は、不図示の左右側壁外面に一体に形成された一対のピボット軸を有し、各ピボット軸はケーシング１の側壁１２の図示されない部分に形成された軸孔に回動自在に収容され、これにより切替操作部材３は傾動可能にケーシング１内に保持される。切替操作部材３がこうして傾動自在に構成されることにより、操作部３０は、１つの釦領域３１が操作者によりケーシング１の内方に押し込まれると，他の釦領域３２はケーシング１の開口部１３から外方に張り出すように動作する。
【００２３】
切替操作部材３の傾動伝達部３３は、内部に、上下方向に延びる長手軸に沿って摺動自在に収容された摺動体３４と、この摺動体３４を下方開口端から突出方向に付勢する圧縮コイルばね３５とを備える。摺動体３４の先端は半球形とされ、この先端は圧縮コイルばね３５によりスイッチ機構２の搖動部材２６の上面に常に弾性的に押圧された状態にある。なお、摺動体３４は好ましくは摺動性に優れたメラミンフェノール樹脂から一体成形品として構成され、コイルばね３５は例えばステンレス鋼から形成される。
【００２４】
本実施形態において、切替操作部材３の操作部３０における釦領域３１，３２は、ケーシングの開口部１３に常に露出する上面３１ａ，３２ａと、ケーシング内方に押し込まれたときケーシング１内に隠れる側面３１ｂ，３２ｂとを有し、釦領域３１，３２の内部には、これら上面３１ａ，３２ａと側面３１ｂ，３２ｂとにより空所３１′，３２′が形成されている。それぞれの空所３１′，３２′には側面３１ｂ，３２ｂに形成された貫通孔３１ｃ，３２ｃからケーシング１の側壁１２に向けて突出可能に設けられた突出体４１と、この突出体４１を弾性的に支持する圧縮コイルばね４２とからなる誤動作防止機構４が組み込まれる。
【００２５】
突出体４１は、その内方端部の周縁にフランジ状突部４３を有する。突部４３は貫通孔３１ｃ，３２ｃが形成された釦領域側面３１ｂ，３２ｂの内面と係止して突出体４１が貫通孔３１ｃ，３２ｃから飛びださないためのストッパとして機能する。なお、この飛び出し防止用ストッパについては、突出体４１の外面のいずれかの適所と、貫通孔３１ｃ，３２ｃが形成された釦領域３１，３２の構成壁の一部とに凹凸係合する構造を設けるなどして、突出体４１が貫通孔からの飛び出しを防止できる構造であればよい。
【００２６】
圧縮コイルばね４２は、その両端部がそれぞれ突出体４１の内部に形成されたボア４１ａと傾動伝達部３３の外周の所定箇所に形成された円形凹部３３ａとに収容される。かくして、突出体４１は圧縮コイルばね４２の弾発力に抗して釦領域３１，３２の内部に収納されるとともに、圧縮コイルばね４２の弾発力により釦領域３１，３２の側面３１ｂ，３２ｂから突出可能に構成される。なお、突出体４１は例えばポリアセタール樹脂から一体成形品として構成され、圧縮コイルばね４２は例えばステンレス鋼から形成される。
【００２７】
各突出体４１は、釦領域３１，３２の内部に収納されたとき、その突出端の端面４５が釦領域３１，３２の側面３１ｂ，３２ｂと同一面を形成ように形成されている。
【００２８】
次に、上述したロッカースイッチの作動について説明する。
【００２９】
図１に示す状態では、ロッカースイッチは切替操作部材３の操作部３０に設けられた釦領域３１，３２の内、釦領域３２はケーシング１の内方に押し込まれて釦領域３１がケーシング１の開口部１３から外方に張り出した状態にあり、スイッチ機構２は電気回路を閉じている。そして、釦領域３１の内部に設けられた突出体４１は釦領域３１の側面３１ｂから一部が突出している。この状態において、人又は物等が意図せずに切替操作部材３の操作部３０に触れて釦領域３１を押下げる力が働いたとしても、該突出体４１の突出部分の下面４４がケーシング１の開口部１３の周縁を囲むケーシング１の頂面１４と係止しているため、張り出した釦領域３１がケーシング１内に下降することは阻止される。かくして切替操作部材３の傾動が阻止され、電気回路の閉成状態は意図しない切換動作から守られる。
【００３０】
操作部３０の釦領域３１に対して意図的に押下げ動作を行う場合には、先ず、釦領域３１の側面３１ｂから突出している突出体４１の端面４５に、例えば手指の先端腹部を当てて、圧縮コイルばね４２の弾発力に抗して突出体４１を釦領域３１の内部に、釦領域３１の側面３１ｂと突出体４１の端面４５とが同一面を形成するまで押し込むと、突出体４１の下面４４と開口部１３周縁のケーシング１の頂面１４との係止状態が解除されるので、釦領域３１のケーシング１内への下降が許容され、切替操作部材３の傾動が可能になる。
【００３１】
このとき、スイッチ機構２においては、切替操作部材３の傾動伝達部３３に設けられた摺動体３４はその先端部が搖動部材２６上を可動接片２７から離れる方向に摺動し、摺動体３４の先端部が搖動部材２６の揺動支点即ち共通端子２５に支持された箇所を通過すると、搖動部材２６は半時計方向側に揺動し、可動接片２７が固定接点２４から離れ、スイッチ機構２は電気回路を開放する。
【００３２】
操作部３０の釦領域３１がケーシング１内に下降すると、操作部３０の釦領域３１とは反対側の釦領域３２がケーシング１の開口部１３から外方に張り出す。すると、釦領域３２の内部に設けられた突出体４１が圧縮コイルばね４２の弾発力により釦領域３２の側面３２ｂから突出して、突出部分の下面４４がケーシング１の開口部１３の周縁を囲むケーシング１の頂面１４と係止する。これにより、釦領域３２が、意図しない操作によりケーシング１内に下降することは阻止され、スイッチ機構２の電気回路の開放状態が維持される。
【００３３】
以上で述べた実施形態では、釦領域３１及び釦領域３２の両方に誤動作防止機構４が組み込まれた例について説明したが、機器によっては、一つの釦領域だけに誤動作防止機構４が組み込まれていればよい場合もあると思われる。その場合には、必要な一つの釦領域にのみ誤動作防止機構４が組み込まれればよい。
【符号の説明】
【００３４】
１        ケーシング
２        スイッチ機構
３        切替操作部材
４        誤動作防止機構
１１        ケーシング底部
１２        ケーシング側壁
１３        ケーシング開口部
３０        操作部
３１，３２  釦領域
３３        傾動伝達部
４１        突出体
４２        弾性体
４４        突出体の下面
４５        突出体の端面
【図１】
0003168551.tif 000003